(57)【要約】      （修正有）【課題】引き戸が所定以上開放されたことを検出できると共に、引き戸が所定以上開放されることを防止できる防犯装置を提供する。【解決手段】防犯装置は、一方側の引き戸１１０の戸本体１１１に固定される装置本体２と、他方側の引き戸１２０の枠体１２２に固定され、装置本体に検出される被検出体１０と、を備え、装置本体は、戸本体に固定されるベース体３と、ベース体に接続され、他方側の引き戸を係止する係止位置と係止を解除する解除位置とに切り替え可能な係止体４とを備える。ベース体は、被検出体の位置を検出して、所定距離より大きい時に異常信号を制御部３３に送信する検出部を備え、係止体は、係止位置において他方側の引き戸の枠体と面接触すべく、平板状に形成される。【選択図】図３
0003195191.tif 000002
【実用新案登録請求の範囲】
【請求項１】
戸本体と、戸本体の周りに配置されて戸本体よりも厚い厚みを有する枠体とを有する一対の引き戸を備える引違い戸に、取り付けられる防犯装置において、
一方側の引き戸の戸本体に固定される装置本体と、
他方側の引き戸の枠体に固定され、装置本体に検出される被検出体と、を備え、
装置本体は、戸本体に固定されるベース体と、ベース体に接続され、他方側の引き戸を係止する係止位置と当該係止を解除する解除位置とに切り替え可能な係止体とを備え、
ベース体は、被検出体の位置を検出する検出部を備え、
係止体は、他方側の引き戸の枠体と面接触すべく、平板状に形成されることを特徴とする防犯装置。
【請求項２】
ベース体は、解除位置に位置する係止体に覆われる被覆部を備え、
検出部は、被覆部に配置され、
係止体は、解除位置に位置する際に被覆部を収容する凹状の収容部を備える請求項１に記載の防犯装置。
【請求項３】
収容部は、被検出体を収容可能に形成され、
収容部の深さ寸法は、被検出体の幅寸法と同じである請求項２に記載の防犯装置。
【請求項４】
検出部を制御する制御部を備え、
ベース体は、係止体の位置を検出する係止体検出部を備え、
係止体検出部は、被覆部に、解除位置に位置する係止体と接触し且つ係止位置に位置する係止体と離間する接部を備え、
制御部は、接部が係止体と離間する際に、検出部で被検出体を検出させると共に、接部が係止体と接触する際に、検出部で被検出体を検出させることを停止する請求項２又は３に記載の防犯装置。
【請求項５】
係止体は、係止位置と解除位置とに切り替え可能なように、ベース体に回動可能に接続される円柱状の軸部と、軸部から突出する突出部とを備え、
ベース体は、軸部に沿って配置される平面状の平面部を備え、
突出部は、係止体が係止位置で保持されるべく、係止体が係止位置に位置する際に平面部と接するように配置されると共に、先端側が平面部と面接触すべく平面状となるように形成される請求項１〜４の何れか１項に記載の防犯装置。
【考案の詳細な説明】
【技術分野】
【０００１】
本考案は、一対の引き戸を備える引違い戸に取り付けられる防犯装置に関する。
【背景技術】
【０００２】
従来、一対の引き戸を備える引違い戸に取り付けられる防犯装置として、引き戸の外側に配置される枠部に固定される磁石と、引き戸に固定され、磁石を検知する磁石検知部とを備える防犯装置が、知られている（例えば、特許文献１）。特許文献１に係る防犯装置によれば、引き戸が所定以上開放されたことを検出することができる一方、引き戸が所定以上開放されることを防止できない。
【先行技術文献】
【特許文献】
【０００３】
【特許文献１】特開平８−３０５９６７号公報
【考案の概要】
【考案が解決しようとする課題】
【０００４】
よって、本考案は、斯かる事情に鑑み、引き戸が所定以上開放されたことを検出できると共に、引き戸が所定以上開放されることを防止できる防犯装置を提供することを課題とする。
【課題を解決するための手段】
【０００５】
本考案に係る防犯装置は、戸本体と、戸本体の周りに配置されて戸本体よりも厚い厚みを有する枠体とを有する一対の引き戸を備える引違い戸に、取り付けられる防犯装置において、一方側の引き戸の戸本体に固定される装置本体と、他方側の引き戸の枠体に固定され、装置本体に検出される被検出体と、を備え、装置本体は、戸本体に固定されるベース体と、ベース体に接続され、他方側の引き戸を係止する係止位置と当該係止を解除する解除位置とに切り替え可能な係止体とを備え、ベース体は、被検出体の位置を検出する検出部を備え、係止体は、他方側の引き戸の枠体と面接触すべく、平板状に形成されることを特徴とする。
【０００６】
また、防犯装置においては、ベース体は、解除位置に位置する係止体に覆われる被覆部を備え、検出部は、被覆部に配置され、係止体は、解除位置に位置する際に被覆部を収容する凹状の収容部を備える、という構成でもよい。
【０００７】
また、防犯装置においては、収容部は、被検出体を収容可能に形成され、収容部の深さ寸法は、被検出体の幅寸法と同じである、という構成でもよい。
【０００８】
また、防犯装置は、検出部を制御する制御部を備え、ベース体は、係止体の位置を検出する係止体検出部を備え、係止体検出部は、被覆部に、解除位置に位置する係止体と接触し且つ係止位置に位置する係止体と離間する接部を備え、制御部は、接部が係止体と離間する際に、検出部で被検出体を検出させると共に、接部が係止体と接触する際に、検出部で被検出体を検出させることを停止する、という構成でもよい。
【０００９】
また、防犯装置においては、係止体は、係止位置と解除位置とに切り替え可能なように、ベース体に回動可能に接続される円柱状の軸部と、軸部から突出する突出部とを備え、ベース体は、軸部に沿って配置される平面状の平面部を備え、突出部は、係止体が係止位置で保持されるべく、係止体が係止位置に位置する際に平面部と接するように配置されると共に、先端側が平面部と面接触すべく平面状となるように形成される、という構成でもよい。
【考案の効果】
【００１０】
以上の如く、本考案に係る防犯装置によれば、引き戸が所定以上開放されたことを検出できると共に、引き戸が所定以上開放されることを防止できる、という優れた効果を奏する。
【図面の簡単な説明】
【００１１】
【図１】図１は、引違い戸の全体正面図である。
【図２】図２は、同引違い戸の要部斜視図である
【図３】図３は、本考案の一実施形態に係る防犯装置の全体正面図であって、図１のIII領域拡大図である。
【図４】図４は、同実施形態に係る装置本体の全体斜視図であって、係止体が解除位置に位置している図である。
【図５】図５は、同実施形態に係る装置本体の全体斜視図であって、係止体が係止位置に位置している図である。
【図６】図６は、同実施形態に係る装置本体の要部上面図であって、係止体が解除位置している図である。
【図７】図７は、同実施形態に係る装置本体の要部上面図であって、係止体が係止位置に位置している図である。
【図８】図８は、同実施形態に係る防犯装置の全体正面図（一部断面図）であって、係止体が係止位置に位置し、引き戸が開いている状態を示す図である。
【図９】図９は、図８における防犯装置の上面図（一部断面図）である。
【図１０】図１０は、同実施形態に係る防犯装置の全体上面図であって、係止体が解除位置に位置し、引き戸が閉じている状態を示す図である。
【図１１】図１１、同実施形態に係る防犯装置の全体上面図であって、係止体が解除位置に位置し、引き戸が開いている状態を示す図である。
【考案を実施するための形態】
【００１２】
以下、本考案に係る防犯装置における一実施形態について、図１〜図１１を参酌して説明する。なお、各図において、図面の寸法比と実際の寸法比とは、必ずしも一致していない。
【００１３】
まず、本実施形態に係る防犯装置の各構成を説明するのに先立って、防犯装置が取り付けられる引違い戸について、図１及び図２を参酌して説明する。
【００１４】
図１及び図２に示すように、引違い戸１００は、一対の引き戸１１０，１２０を備えている。一対の引き戸１１０，１２０においては、室内から見て外側に配置される引き戸１１０は、外側引き戸１１０と呼ばれ、室内から見て内側に配置される引き戸１２０は、内側引き戸１２０と呼ばれる。
【００１５】
各引き戸１１０，１２０は、板状の戸本体１１１，１２１と、戸本体１１１，１２１の周りに配置される枠体１１２，１２２とを備えている。そして、枠体１１２，１２２の厚みは、戸本体１１１，１２１の厚いより厚い。例えば、戸本体１１１，１２１は、ガラス等で形成されており、枠体１１２，１２２は、アルミ等の金属で形成されている。
【００１６】
各枠体１１２，１２２は、横方向に沿って延びる上枠１１２ａ，１２２ａ及び下枠１１２ｂ，１２２ｂと、上下方向に沿って延びる中央枠１１２ｃ，１２２ｃ及び端枠１１２ｄ，１２２ｄとを備えている。一対の中央枠１１２ｃ，１２２ｃ同士は、引違い戸１００が閉じている際は、重なるように配置されている。
【００１７】
本実施形態に係る防犯装置１は、図３に示すように、外側引き戸１１０の戸本体１１１に固定される装置本体２と、内側引き戸１２０の枠体１２２に固定され、装置本体２に検出される被検出体１０とを備えている。なお、装置本体２及び被検出体１０は、それぞれ接着剤や接着シート等を介して、それぞれ引き戸１１０，１２０に固定されている。
【００１８】
被検出体１０は、筐体１０ａと、筐体１０ａの内部に配置される磁石１０ｂとを備えている。そして、被検出体１０は、内側引き戸１１０の中央枠１２２ｃの側面に固定されている。また、被検出体１０は、厚み方向（図１及び図３の紙面に対して垂直方向）において、外側引き戸１１０の戸本体１１１と重なるように、配置されている。
【００１９】
装置本体２は、図３〜図５に示すように、外側引き戸１１０の戸本体１１１に固定されるベース体３と、ベース体３に接続され、内側引き戸１２０を係止可能な係止体４とを備えている。そして、係止体４は、内側引き戸１２０を係止する係止位置（図５参照）と、当該係止を解除する解除位置（図３及び図４参照）とに切り替え可能である。
【００２０】
ベース体３は、被検出体１０の位置を検出する検出部３１と、係止体４の位置を検出する係止体検出部３２とを備えている。また、ベース部３は、各構成を制御する制御部３３と、情報が入力される入力部３４と、情報を外部に出力する出力部３５と、電源を供給するための電池２００を収容する電源部３６とを備えている。
【００２１】
ベース部３は、解除位置に位置する係止体４に覆われる被覆部３７と、被覆部３７に連結され、係止体４から露出している露出部３８とを備えている。本実施形態においては、検出部３１及び係止体検出部３２は、被覆部３７に配置され、制御部３３、入力部３４、出力部３５、及び電源部３６は、露出部３８に配置されている。
【００２２】
検出部３１は、被検出体１０との離間距離が所定距離より大きいか小さいかを検出する。そして、例えば、引き戸１１０，１２０が所定以上開放した場合には、検出部３１は、被検出体１０との離間距離が所定距離より大きいと検出するため、制御部３３に向けて異常信号を送信する。本実施形態においては、所定距離は、２５〜３０ｍｍとしている。
【００２３】
制御部３３は、検出部３１からの異常信号を受信することにより、引違い戸１００が異常であることを出力部３５で出力させる。具体的には、出力部３５は、視覚的に異常を出力する表示灯３５ａと、聴覚的に異常を出力するブザー３５ｂとを備えている。
【００２４】
係止体検出部３２は、被覆部３７に、係止体４と接触可能な接部３２ａを備えている。接部３２ａは、解除位置に位置する係止体４と接触する一方、係止位置に位置する係止体４とは離間する。これにより、係止検出部３２は、接部３２ａが係止体４に接触している際には、係止体４が解除位置に位置していると検出し、接部３２ａが係止体４と離間している際には、係止体４が係止位置に位置していると検出する。
【００２５】
そして、制御部３３は、接部３２ａが係止体４と離間する際に、検出部３１で被検出体１０を検出させると共に、接部３２ａが係止体４と接触する際に、検出部３１で被検出体１０を検出させることを停止する。即ち、制御部３３は、係止体４が係止位置に位置する際に、引違い戸１００の異常を検出（監視）する状態とし、係止体４が解除位置に位置する際に、引違い戸１００の異常の検出（監視）を停止する状態にする。
【００２６】
また、制御部３３は、入力部３４に情報が入力される（本実施形態においては、ボタンが押される）ことでも、引違い戸１００の異常を検出（監視）する状態と、当該異常の検出（監視）を停止する状態にする。なお、装置本体２は、入力部３４を備えていない構成でもよい。
【００２７】
係止体４は、平板状に形成されている。そして、係止体４は、内側引き戸１２０の枠体１２２（具体的には、中央枠１２２ｃの側面）と面接触する係止部４１，４１と、解除位置に位置する際に、被覆部３７を収容する凹状の収容部４２とを備えている。
【００２８】
係止体は４、ベース体３に回動可能に接続される円柱状の軸部４３と、軸部４３から突出する突出部４４，４４とを備えている。そして、係止体４は、回動することにより、係止位置と解除位置とに切り替えられる。なお、ベース体３は、露出部３８の側面に、係止体４の軸部４３に沿って且つ軸部４３と対面するように配置される平面状の平面部３８ａを備えている。
【００２９】
係止部４１は、一対備えられ、一対の係止部４１，４１は、収容部４２を挟むようにして、配置されている。また、突出部４４は、平面状に形成される平面部４４ａを、先端側に備えている。
【００３０】
収容部４２は、被検出体１０を収容可能に形成されている。そして、収容部４２の深さ寸法Ｗ１は、被検出体１０の幅寸法Ｗ２、具体的には、内側引き戸１２０の枠体１２２から突出する（図３においては、紙面の左右方向の）被検出体１０の幅寸法Ｗ２と同じである。なお、被検出体１０の幅方向Ｗ２は、被検出体１０の厚み方向（図３においては、紙面に対して垂直の方向）と同じでもよい。
【００３１】
本実施形態に係る防犯装置１の構成については以上の通りであり、次に、本実施形態に係る係止体４を係止位置で保持する方法について、図６及び図７を参酌して、説明する。
【００３２】
図６に示すように、係止体４が解除位置に位置する場合には、接部３２ａは、係止体４に押圧されることにより、被覆部３７の内部に位置する。そして、係止体４がベース体３に対して回動されることにより、図７に示すように、係止体４が係止位置に位置する。
【００３３】
係止体４が解除位置に位置する際に、軸部４３から突出する突出部４４は、ベース部３の露出部３８に配置される平面部３８ａと接触する。具体的には、突出部４４の先端側の平面部４４ａとベース部３の平面部３８ａとは、面接触している。これにより、係止体４は、係止位置で保持される。なお、接部３２ａは、係止体４が解除位置に位置する際に、被覆部３７から突出している。
【００３４】
次に、本実施形態に係る係止体４が引き戸１２０を係止する方法について、図８〜図１１を参酌して、説明する。
【００３５】
図８及び図９に示すように、係止体４は、係止位置に位置している際には、外側引き戸１１０から突出している。そして、係止体４は、内側引き戸１２０の中央枠１２２ｃの側面を係止する。このとき、係止体４の係止部４１は、中央枠１２２ｃの側面と面接触すると共に、係止体４の収容部４２は、被検出体１０と面接触している。これにより、係止体４が内側引き戸１２０を係止する力の強度を、大きくすることができる。
【００３６】
また、図１０に示すように、係止体４は、解除位置に位置している際には、外側引き戸１１０から突出することなく、外側引き戸１１０に収容されている。これにより、図１１に示すように、内側引き戸１２０がスライドした際には、係止体４は、内側引き戸１２０を係止することはない。したがって、引違い戸１００の引き戸１１０，１２０を自由に開閉できる。
【００３７】
以上より、本実施形態に係る防犯装置１は、戸本体１１１，１２１と、戸本体１１１，１２１の周りに配置されて戸本体１１１，１２１よりも厚い厚みを有する枠体１１２，１２２とを有する一対の引き戸１１０，１２０を備える引違い戸１００に、取り付けられる防犯装置１において、一方側の引き戸１１０の戸本体１１１に固定される装置本体２と、他方側の引き戸１２０の枠体１２２に固定され、装置本体２に検出される被検出体１０とを備え、装置本体２は、戸本体１１１に固定されるベース体３と、ベース体３に接続され、他方側の引き戸１２０を係止する係止位置と当該係止を解除する解除位置とに切り替え可能な係止体４と、を備え、ベース体３は、被検出体１０の位置を検出する検出部３１を備え、係止体４は、他方側の引き戸１２０の枠体１２２と面接触すべく、平板状に形成される。
【００３８】
斯かる構成によれば、ベース体３は、一方側の引き戸１１０の戸本体１１１に固定される。また、ベース体３に接続される係止体４は、他方側の引き戸１２０を係止する係止位置と、当該係止を解除する解除位置とに切り替えられる。これにより、係止体４が解除位置に位置する際には、引き戸１１０，１２０を自由に開閉できる一方、係止体４が係止位置に位置する際には、引き戸１１０，１２０が所定以上開放されることを防止することができる。
【００３９】
そして、係止体４は、平板状に形成されるため、係止位置に位置する際に、他方側の引き戸１２０の枠体１２２と面接触する。これにより、係止体４が引き戸１２０を係止する力の強度を、大きくすることができるため、引き戸１１０，１２０が所定以上開放されることを確実に防止することができる。
【００４０】
また、ベース体３は、被検出体１０の位置を検出する検出部３１を備えている。そして、引き戸１１０，１２０が所定以上開放したり、引き戸１１０，１２０が外されたりすることで、被検出体１０の位置が所定範囲から外れる場合（異常の場合）に、検出部３１は、当該被検出体１０の位置を検出する。これにより、検出部３１は、当該異常を検出することができる。
【００４１】
また、本実施形態に係る防犯装置１においては、ベース体３は、解除位置に位置する係止体４に覆われる被覆部３７を備え、検出部３１は、被覆部３７に配置され、係止体４は、解除位置に位置する際に被覆部３７を収容する凹状の収容部４２を備える。
【００４２】
斯かる構成によれば、検出部３１は、解除位置に位置する係止体４に覆われる被覆部３７に、配置されている。そして、係止体４の凹状の収容部４２は、係止体４が解除位置に位置する際に、被覆部３７を収容している。
【００４３】
また、本実施形態に係る防犯装置１においては、収容部４２は、被検出体１０を収容可能に形成され、収容部４２の深さ寸法Ｗ１は、被検出体１０の幅寸法Ｗ２と同じである。
【００４４】
斯かる構成によれば、係止体４が他方側の引き戸１２０を係止する際に、収容部４２は、被検出体１０を収容する。そして、収容部４２の深さ寸法Ｗ１が、他方の引き戸１２０の枠体１２２から突出する被検出体１０の幅寸法Ｗ２と同じであるため、係止体４が引き戸１２０と面接触すると共に、被検出体１０が収容部４２と面接触する。これにより、係止体４が引き戸１２０を係止する力の強度を、さらに大きくすることができるため、引き戸１１０，１２０が所定以上開放されることをさらに確実に防止することができる。
【００４５】
また、本実施形態に係る防犯装置１は、検出部３１を制御する制御部３３を備え、ベース体３は、係止体４の位置を検出する係止体検出部３２を備え、係止体検出部３２は、被覆部３７に、解除位置に位置する係止体４と接触し且つ係止位置に位置する係止体４と離間する接部３２ａを備え、制御部３３は、接部３２ａが係止体４と離間する際に、検出部３１で被検出体１０を検出させると共に、接部３２ａが係止体４と接触する際に、検出部３１で被検出体１０を検出させることを停止する。
【００４６】
斯かる構成によれば、係止体検出部３２の接部３２ａは、被覆部３７に配置され、解除位置に位置する係止体４と接触する一方、係止位置に位置する係止体４と離間する。そして、制御部３３は、接部３２ａが係止体４と離間する際に、検出部３１で被検出体１０を検出させる一方、接部３２ａが係止体４と接触する際に、検出部３１で被検出体１０を検出させることを停止する。これにより、係止体４を係止位置と解除位置とに切り替えることより、自動的に、被検出体１０を検出する状態と検出しない状態とに切り替えることができる。
【００４７】
また、本実施形態に係る防犯装置１においては、係止体４は、係止位置と解除位置とに切り替え可能なように、ベース体３に回動可能に接続される円柱状の軸部４３と、軸部４３から突出する突出部４４，４４とを備え、ベース体３は、軸部４３に沿って配置される平面状の平面部３８ａを備え、突出部４４は、係止体４が係止位置で保持されるべく、係止体４が係止位置に位置する際に平面部３８ａと接するように配置されると共に、先端側が平面部３８ａと面接触すべく平面状となるように形成される。
【００４８】
斯かる構成によれば、係止体４は、ベース体３に接続される円柱状の軸部４３で回動することにより、係止位置と解除位置とに切り替えられる。そして、軸部４３から突出する突出部４４は、係止体４が係止位置に位置する際に、軸部４３に沿って配置されるベース部３の平面状の平面部３８ａと接するため、係止体４を係止位置で保持することができる。さらに、突出部４４の先端側が平面状に形成されているため、突出部４４の先端側が平面部３８ａと面接触する。これにより、係止体４を係止位置で確実に保持することができる。
【００４９】
なお、防犯装置は、上記した実施形態の構成に限定されるものではなく、また、上記した作用効果に限定されるものではない。防犯装置は、本考案の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００５０】
上記実施形態に係る防犯装置１においては、被検出体１０は、磁石１０ｂを備える、という構成である。しかしながら、防犯装置は、斯かる構成に限られない。例えば、防犯装置においては、被検出体１０は、電波や光を発信し、検出部３１は、当該電波や光を検出する、という構成でもよい。
【００５１】
また、上記実施形態に係る防犯装置１においては、検出部３１は、被覆部３７に配置されている、という構成である。しかしながら、防犯装置は、斯かる構成に限られない。例えば、防犯装置においては、検出部３１は、露出部３８に配置されている、という構成でもよい。
【００５２】
また、上記実施形態に係る防犯装置１においては、収容部４２は、被検出体１０を収容し、収容部４２の深さ寸法Ｗ１は、被検出体１０の幅寸法Ｗ２と同じである、という構成である。しかしながら、防犯装置は、斯かる構成に限られない。例えば、防犯装置においては、収容部４２の深さ寸法Ｗ１は、被検出体１０の幅寸法Ｗ２と異なる、という構成でもよく、係止体４は、引き戸１２０を係止する際に、被検出体１０を収容しない、という構成でもよい。
【００５３】
また、上記実施形態に係る防犯装置１においては、ベース体３は、係止体検出部３２の接部３２ａを備える、という構成である。しかしながら、防犯装置は、斯かる構成に限られない。例えば、防犯装置においては、ベース体３は、係止体検出部３２の接部３２ａを備えておらず、制御部３３は、入力部３４の入力のみに基づいて、引違い戸１００の異常を検出（監視）する状態と当該異常の検出（監視）を停止する状態とを切り替える、という構成でもよい。
【００５４】
また、上記実施形態に係る防犯装置１においては、係止体４は、ベース体３に対して回動することで、係止位置と解除位置とに切り替え可能である、という構成である。しかしながら、防犯装置は、斯かる構成に限られない。例えば、防犯装置においては、係止体４は、ベース体３に対してスライドすることで、係止位置と解除位置とに切り替え可能である、という構成でもよく、また、係止体４は、ベース体３に対して着脱されることで、係止位置と解除位置とに切り替え可能である、という構成でもよい。
【００５５】
また、上記実施形態に係る防犯装置１においては、係止体４は、軸部４３から突出する突出部４４を備える、という構成である。しかしながら、防犯装置は、斯かる構成に限られない。例えば、防犯装置においては、係止体４は、突出部４４を備えておらず、装置本体２は、係止体４を係止位置で保持する別の保持機構を備える、という構成でもよい。また、例えば、防犯装置においては、係止体４は、当該突出部４４とは別の突出部を備え、該突出部は、解除位置で保持されるべく、解除位置に位置する際にベース部３の平面部３８ａと接するように、軸部４３から突出される、という構成でもよい。
【符号の説明】
【００５６】
１…防犯装置、２…装置本体、３…ベース体、４…係止体、１０…被検出体、１０ａ…筐体、１０ｂ…磁石、３１…検出部、３２…係止体検出部、３２ａ…接部、３３…制御部、３４…入力部、３５…出力部、３５ａ…表示灯、３５ｂ…ブザー、３６…電源部、３７…被覆部、３８…露出部、３８ａ…平面部、４１…係止部、４２…収容部、４３…軸部、４４…突出部、４４ａ…平面部、１００…引違い戸、１１０…（外側）引き戸、１１１…戸本体、１１２…枠体、１１２ａ…上枠、１１２ｂ…下枠、１１２ｃ…中央枠、１１２ｄ…端枠、１２０…（内側）引き戸、１２１…戸本体、１２２…枠体、１２２ａ…上枠、１２２ｂ…下枠、１２２ｃ…中央枠、１２２ｄ…端枠、２００…電池
【図１】
0003195191.tif 000003
【図２】
0003195191.tif 000004
【図３】
0003195191.tif 000005
【図４】
0003195191.tif 000006
【図５】
0003195191.tif 000007
【図６】
0003195191.tif 000008
【図７】
0003195191.tif 000009
【図８】
0003195191.tif 000010
【図９】
0003195191.tif 000011
【図１０】
0003195191.tif 000012
【図１１】
0003195191.tif 000013